(57)【要約】【課題】  搬送部品の各種精度を上げなくても被搬送媒体を確実に搬送することができる媒体搬送装置及びその媒体搬送装置を備えた記録装置を提供すること。【解決手段】  被搬送媒体の一面に当接する第１の当接部２０４と、他面に当接するローラ５７及び第２の当接部２０２、２０３とを備え、ローラは第１の当接部に対し第１の距離Ｌ１離れて配設され、第２の当接部は第１の当接部に対しローラと反対方向に第１の距離よりも大きい第２の距離Ｌ２離れて配設されている。これにより、第１の当接部の被搬送媒体に掛かる押圧力は、被搬送媒体を介してローラと第２の当接部とに分圧されるが、ローラに掛かる押圧力の方が第２の当接部に掛かる押圧力よりも大きくなるため、被搬送媒体を搬送するために必要な搬送力を確実に得ることができる。【選択図】      図９
2007030304.tif 000002
【特許請求の範囲】
【請求項１】
平板状の被搬送媒体の一面に当接する第１の当接部と、前記被搬送媒体の他面に当接するローラ及び第２の当接部とを備え、
前記ローラは前記第１の当接部に対し第１の距離離れて配設され、
前記第２の当接部は前記第１の当接部に対し前記ローラと反対方向に前記第１の距離よりも大きい第２の距離離れて配設され、
前記ローラを回転させることにより前記被搬送媒体を搬送することを特徴とする媒体搬送装置。
【請求項２】
搬送されてくる平板状の被搬送媒体の面に当接して当該被搬送媒体を排出するローラを備えた媒体搬送装置であって、
前記ローラの排出側に前記排出ローラに対して第１の距離離れて配設され、前記ローラの前記被搬送媒体における当接面とは逆側の面に当接する第１の当接部と、
更に排出側に前記第１の当接部に対して前記第１の距離よりも大きい第２の距離離れて配設され、前記ローラの前記被搬送媒体における当接面に当接する第２の当接部とを有する補助搬送部を備え、
前記第２の当接部側から挿入される被搬送媒体を前記ローラを回転させることにより搬送することを特徴とする媒体搬送装置。
【請求項３】
前記補助搬送部は、前記ローラの排出側に旋回自在に配設されており、当該旋回位置により使用状態と不使用状態を切り替えることができることを特徴とする請求項２に記載の媒体搬送装置。
【請求項４】
前記第１の当接部は、前記被搬送媒体の当接面に対し、前記ローラによる前記被搬送媒体の搬送力が生じる負荷で押圧可能に配設されていることを特徴とする請求項１〜３の何れか一項に記載の媒体搬送装置。
【請求項５】
前記第１の当接部は、前記被搬送媒体の当接面に対し、前記ローラによる前記被搬送媒体の搬送の妨げとならない摩擦係数で接触可能な形状に形成されていることを特徴とする請求項１〜４の何れか一項に記載の媒体搬送装置。
【請求項６】
前記第２の当接部は、前記被搬送媒体の当接面に対し、前記ローラによる前記被搬送媒体の搬送の妨げとならない摩擦係数で接触可能な形状に形成されていることを特徴とする請求項１〜５の何れか一項に記載の媒体搬送装置。
【請求項７】
前記第２の当接部は、前記第１の当接部に向かって下方へ傾斜して形成されていることを特徴とする請求項１〜５の何れか一項に記載の媒体搬送装置。
【請求項８】
前記被搬送媒体は、薄板状体を固定可能なトレイであることを特徴とする請求項１〜７の何れか一項に記載の媒体搬送装置。
【請求項９】
記録媒体を搬送して記録する記録装置であって、
請求項１〜８の何れか一項に記載の媒体搬送装置を備えたことを特徴とする記録装置。
【発明の詳細な説明】
【技術分野】
【０００１】
本発明は、被搬送媒体を搬送する媒体搬送装置及びその媒体搬送装置を備えた記録装置に関する。
【背景技術】
【０００２】
一般に、記録装置の１つであるインクジェット式プリンタは、主走査方向に往復移動するキャリッジに搭載された記録ヘッドと、副走査方向に記録用紙を間欠的に設定量ずつ搬送する用紙搬送手段を備えている。そして、記録用紙を副走査方向に搬送しつつ記録ヘッドを主走査方向に往復移動させ、記録ヘッドから記録用紙にインク滴を吐出して文字や画像等を記録するように構成されている。
【０００３】
新規の記録用紙はプリンタ本体の背面側に配設されている収納自在な給紙トレイ内に積載されて一端がホッパにより持ち上げられ、最上位の記録用紙が給紙ローラにより引き出されて給紙される。そして、給紙された記録用紙は搬送ローラにより搬送されて上記記録が行われ、記録済みの記録用紙は排紙ローラにより搬送されてプリンタ本体の前面側に配設されている収納自在な排紙トレイ上に排紙されるようになっている。
【０００４】
ところで、近年、個人的にデータ書き込み可能なＣＤ−ＲＷ／ＲやＤＶＤ−ＲＷ／Ｒ等の光ディスクが普及してきたことから、その表面にラベルの記録が可能なインクジェット式プリンタが開発されている。光ディスクの表面に記録する場合、光ディスクは通常の記録用紙のように供給・搬送することができないので、矩形平板状のトレイに光ディスクを収納し、このトレイを搬送することにより光ディスクの表面に記録するようにしている。
【０００５】
すなわち、ユーザは、トレイに光ディスクを収納し、そのトレイを排紙口側に配設されているディスク搬送部から排紙ローラ上を通して搬送ローラとピンチローラのニップ点に突き当たるまで挿入する。この状態で、搬送ローラが、逆回転してトレイをピンチローラと共に挟持し、光ディスクの記録開始位置まで逆搬送する。その後、搬送ローラが正回転してトレイを搬送し、記録ヘッドが光ディスクの表面に記録するようになっている。
【０００６】
ここで、トレイは記録用紙よりも厚みがあるため、搬送ローラとピンチローラで挟持する際に滑りが生じるおそれがある。そこで、トレイの先端に薄いシート状のフィルムを取り付け、先ずこのフィルムを搬送ローラとピンチローラで挟持させることにより、引き続いてトレイを搬送ローラとピンチローラで確実に挟持させることができる（特許文献１参照）。
【０００７】
【特許文献１】特開２００４−４２３８４号公報
【発明の開示】
【発明が解決しようとする課題】
【０００８】
上述したトレイの先端を排紙口側から挿入する際、トレイの先端に取り付けられた薄いシート状のフィルムが排紙ローラと衝突して折れ曲り、トレイの搬送が不可能となる場合がある。このようなフィルムと排紙ローラとの衝突を防止するには、ディスク搬送部の加工精度やディスク搬送部のプリンタ本体に対する取付精度を高精度にする必要があり、コスト高となるおそれがある。
【０００９】
本発明は、上記のような種々の課題に鑑みなされたものであり、その目的は、搬送部品の各種精度を上げなくても被搬送媒体を確実に搬送することができる媒体搬送装置及びその媒体搬送装置を備えた記録装置を提供することにある。
【課題を解決するための手段】
【００１０】
上記目的達成のため、本発明の媒体搬送装置では、平板状の被搬送媒体の一面に当接する第１の当接部と、前記被搬送媒体の他面に当接するローラ及び第２の当接部とを備え、前記ローラは前記第１の当接部に対し第１の距離離れて配設され、前記第２の当接部は前記第１の当接部に対し前記ローラと反対方向に前記第１の距離よりも大きい第２の距離離れて配設され、前記ローラを回転させることにより前記被搬送媒体を搬送することを特徴としている。これにより、第１の当接部の被搬送媒体に掛かる押圧力は、被搬送媒体を介してローラと第２の当接部とに分圧されるが、ローラに掛かる押圧力の方が第２の当接部に掛かる押圧力よりも大きくなるため、被搬送媒体を搬送するために必要な搬送力を確実に得ることができる。
【００１１】
上記目的達成のため、本発明の媒体搬送装置では、搬送されてくる平板状の被搬送媒体の面に当接して当該被搬送媒体を排出するローラを備えた媒体搬送装置であって、前記ローラの排出側に前記排出ローラに対して第１の距離離れて配設され、前記ローラの前記被搬送媒体における当接面とは逆側の面に当接する第１の当接部と、更に排出側に前記第１の当接部に対して前記第１の距離よりも大きい第２の距離離れて配設され、前記ローラの前記被搬送媒体における当接面に当接する第２の当接部とを有する補助搬送部を備え、前記第２の当接部側から挿入される被搬送媒体を前記ローラを回転させることにより搬送することを特徴としている。これにより、第１の当接部の被搬送媒体に掛かる押圧力は、被搬送媒体を介してローラと第２の当接部とに分圧されるが、ローラに掛かる押圧力の方が第２の当接部に掛かる押圧力よりも大きくなるため、被搬送媒体を搬送するために必要な搬送力を確実に得ることができる。更に、補助搬送部として別構成となっているので、搬送に際して第１の当接部と第２の当接部が不要な被搬送媒体の場合は、補助搬送部を退避させておくことができる。
【００１２】
また、前記補助搬送部は、前記ローラの排出側に旋回自在に配設されており、当該旋回位置により使用状態と不使用状態を切り替えることができることを特徴としている。これにより、第１の当接部と第２の当接部が必要な被搬送媒体を搬送する場合と不要な被搬送媒体を搬送する場合の搬送切り替えを簡易に行うことができる。また、前記第１の当接部は、前記被搬送媒体の当接面に対し、前記ローラによる前記被搬送媒体の搬送力が生じる負荷で押圧可能に配設されていることを特徴としている。これにより、第１の当接部を例えばローラやピン等の形態で構成することができる。また、前記第１の当接部は、前記被搬送媒体の当接面に対し、前記ローラによる前記被搬送媒体の搬送の妨げとならない摩擦係数で接触可能な形状に形成されていることを特徴としている。これにより、被搬送媒体の搬送を精度良く行うことができる。
【００１３】
また、前記第２の当接部は、前記被搬送媒体の当接面に対し、前記ローラによる前記被搬送媒体の搬送の妨げとならない摩擦係数で接触可能な形状に形成されていることを特徴としている。これにより、被搬送媒体の搬送を精度良く行うことができる。また、前記第２の当接部は、前記第１の当接部に向かって下方へ傾斜して形成されていることを特徴としている。これにより、被搬送媒体の端部が前記第２の当接部に沿って緩やかに移動するので、被搬送媒体の搬送を精度良く行うことができる。また、前記被搬送媒体は、薄板状体を固定可能なトレイであることを特徴としている。これにより、例えば光ディスクの表面への記録を精度良く行うことができる。
【００１４】
上記目的達成のため、本発明の記録装置では、記録媒体を搬送して記録する記録装置であって、上記各媒体搬送装置を備えたことを特徴としている。これにより、上記各作用効果を奏する記録装置を提供することが可能である。
【発明を実施するための最良の形態】
【００１５】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１６】
図１は、本発明の一実施の形態に係る記録装置の１つであるインクジェット式プリンタの外観構成の全体を示す斜視図、図２は、その内部構造を示す斜視図、図３は、その内部構造を示す概略側面図である。このインクジェット式プリンタ１００は、例えば名刺、カード、Ｌ判／２Ｌ判、ハガキ、六切やＪＩＳ規格のＡ６判からＡ４判までのサイズの単票紙と、例えばＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）等の光ディスクのレーベル面に記録することができる機能を備えている。
【００１７】
このインクジェット式プリンタ１００は、図１に示すように、全体が略直方体状のハウジング１０１で覆われている。そして、ハウジング１０１の上面における前面側には操作部１１０が配設され、前面における図示右側にはメモリカードスロット部１２０が配設され、上面における背面側には給紙部１３０が配設され、前面側には排紙部１４０が配設されている。更に、図２及び図３に示すように、排紙部１４０の内部には本発明の特徴的な部分であるディスク搬送部（補助搬送部）２００が配設されている。
【００１８】
操作部１１０は、図１に示すように、略矩形状の操作パネル１１１を備え、この操作パネル１１１の略中央部に操作状態等を表示する液晶パネル１１２が配設され、この液晶パネル１１２の両側にパワーをオン・オフするパワー系、用紙の頭出し等を操作したりインクのフラッシング等を操作する操作系、画像処理等を行う処理系等のボタン１１３が配設されている。ユーザは、液晶パネル１１２を見て確認しながらボタン１１３を操作することができるので、誤操作を防止することができる。
【００１９】
メモリカードスロット部１２０は、図１に示すように、図示矢印ａ方向に開閉自在なカバー１２１で覆われている。このメモリカードスロット部１２０は、例えば５スロット形成され、１３種類のメモリカードに対応可能に構成されている。ユーザは、インクジェット式プリンタ１００をパーソナルコンピュータに接続しなくても、インクジェット式プリンタ１００単独の状態でメモリカードスロット部１２０にメモリカードを差し込むのみで、メモリカードに格納されている画像等を記録することができる。
【００２０】
給紙部１３０は、図１に示すように、上方に向かって矩形状に開口した給紙口１３１を開閉する機能と、給紙する用紙を１枚もしくは複数枚サポートする機能を併せ持ったペーパーサポート１３２を備えている。このペーパーサポート１３２は、後端の回転軸を中心に図示矢印ｂ方向に回動可能に取り付けられている。ユーザは、インクジェット式プリンタ１００を使用又は不使用のときは、ペーパーサポート１３２の図示左側のハウジング１０１に設けられた穴１３３に指を差し込んでペーパーサポート１３２の図示左側を持ってペーパーサポート１３２を開閉することができるので、用紙の差し入れを容易に行うことができ、また給紙口１３１内への埃の侵入を防止することができる。
【００２１】
このペーパーサポート１３２は、図２に示すように、用紙の裏面をサポートする第１サポート３１及び第２サポート３２と、用紙の両サイドエッジをガイドする固定エッジガイド３３と可動エッジガイド３４等を備えている。第１サポート３１は、平板状に形成されて後端の回転軸を中心に図示矢印ｂ方向に回動可能に取り付けられている。第２サポート３２は、平板状に形成されて第１サポート３１に格納・引出自在に配設されている。これにより、使用時は種々のサイズの用紙を確実にサポートすることができ、また不使用時は第２サポート３２を第１サポート３１に格納し、第１サポート３１を給紙口１３１に被せているので、コンパクトに格納しておくことができる。
【００２２】
また、固定エッジガイド３３は、図示右側壁に沿う形状でホッパ５１と一体形成され、可動エッジガイド３４は、図示左側壁に沿う形状に形成され、左側壁と右側壁の間を後壁と略平行に移動可能なように取り付けられている。固定エッジガイド３３と可動エッジガイド３４は、用紙のサイズが異なっても確実に用紙の両側縁をガイドすることができるので、給送を高精度に行うことができる。
【００２３】
排紙部１４０は、図１に示すように、前方に向かって矩形状に開口した排紙口１４１を開閉する機能と、排紙される用紙を１枚もしくは複数枚スタックする機能を併せ持ったスタッカ１４２を備えている。このスタッカ１４２は、下端の回転軸を中心に図示矢印ｃ方向に回動可能に取り付けられている。ユーザは、インクジェット式プリンタ１００を使用又は不使用のときは、スタッカ１４２の上部に設けられた取っ手１４３に指を掛けてスタッカ１４２を開閉することができるので、セッティングを容易に行うことができ、また排紙口１４１内への埃の侵入を防止することができる。更に、記録後の用紙は常に前面側から排紙されるので、ユーザは用紙を容易に取り出すことができる。
【００２４】
このスタッカ１４２は、図２に示すように、第１スタッカ４１及び第２スタッカ４２を備えている。第１スタッカ４１は、平板状に形成されて後端の回転軸を中心に図示矢印ｃ方向に回動可能に取り付けられている。第２スタッカ４２は、平板状に形成されて第１スタッカ４１に格納・引出自在に配設されている。これにより、使用時は種々のサイズの排紙される用紙を確実に積層載置することができ、また不使用時は第２スタッカ４２を第１スタッカ４１に格納し、第１スタッカ４１を排紙口１４１に被せているので、コンパクトに格納しておくことができる。
【００２５】
このインクジェット式プリンタ１００の内部には、図２及び図３に示すように、用紙搬送部（媒体搬送装置）１５０、記録部１６０及び本発明の特徴的な部分であるディスク搬送部（媒体搬送装置、補助搬送部）２００が配設されている。用紙搬送部１５０は、給紙部１３０から排紙部１４０に掛けて配設されており、自動給紙機構１５１、搬送機構１５２、排紙機構１５３を備えている。自動給紙機構１５１は、ペーパーサポート１３２にサポートされている用紙を給送するために持ち上げるホッパ５１、このホッパ５１により持ち上げられた用紙を取り出す給紙ローラ５２、この給紙ローラ５２により重送された用紙を１枚のみに分離するリタードローラ５３、このリタードローラ５３により分離された残りの用紙をホッパ５１へ戻す紙戻しレバー５４等を備えている。
【００２６】
ホッパ５１は、用紙が載置可能な平板状に形成されて後壁と略平行に配設されており、下端が給紙ローラ５２の近傍に位置し、上端が後壁頂部に近接して位置するように配設されている。そして、ホッパ５１は、後壁に一端が取り付けられた図示しない圧縮バネの他端が下端側の裏面に取り付けられており、この圧縮バネの伸縮により上端側を中心に下端側が旋回するように配設されている。
【００２７】
給紙ローラ５２は、断面の一部が切り欠かれたＤ字状に形成されてホッパ５１の下端近傍に配設されており、間欠的に回転してホッパ５１により持ち上げられた用紙を摩擦給送するようになっている。リタードローラ５３は、給紙ローラ５２と当接可能に配設されており、給紙ローラ５２により用紙が重送されたときに最上層の用紙のみを下層の用紙から摩擦分離するようになっている。紙戻しレバー５４は、爪状に形成されて給紙ローラ５２の近傍に配設されており、リタードローラ５３により分離された下層の用紙を爪に掛けてホッパ５１へ戻すようになっている。
【００２８】
搬送機構１５２は、記録動作に同期して副走査方向に用紙を送る紙送りローラ５５とその従動ローラ５６等が配設されている。紙送りローラ５５は、プラテン１６３の搬送上流側に配設されており、給紙ローラ５２により給送される用紙を従動ローラ５６と共に挟持してプラテン１６３へ送り出すようになっている。
【００２９】
排紙機構１５３は、排紙ローラ５７と第１ギザローラ５８ａ及び第２ギザローラ５８ｂ等を備えている。第１ギザローラ５８ａは、プラテン１６３の搬送下流側に配設され、第２ギザローラ５８ｂと排紙ローラ５７は、第１ギザローラ５８ａの搬送下流側に対向配設されており、プラテン１６３を通過してくる用紙を先ず第１ギザローラ５８ａで排送し、続いて第２ギザローラ５８ｂと排紙ローラ５７で挟持してスタッカ１４２上へ排紙するようになっている。尚、第１ギザローラ５８ａ及び第２ギザローラ５８ｂは、図示しない同一の保持部材により保持されている。
【００３０】
記録部１６０には、記録動作に同期して主走査方向に移動するキャリッジ１６１、記録動作に同期してインクを吐出する記録ヘッド１６２、記録時の用紙を平坦に保持するプラテン１６３等が配設されている。キャリッジ１６１は、プラテン１６３の上方でキャリッジガイド軸１６４に貫装されてキャリッジベルト１６５に連結されており、図示しないキャリッジモータによってキャリッジベルト１６５が作動すると、キャリッジベルト１６５の動きに連行され、キャリッジガイド軸１６４に案内されて往復移動するようになっている。このキャリッジ１６１には、複数のインクカートリッジが抜き差し可能なカートリッジ収納部６１が形成されている。
【００３１】
記録ヘッド１６２は、プラテン１６３と所定の間隔が空くようにしてキャリッジ１６１に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１６２は、圧力発生室とそれに繋がるノズル開口が設けられており、圧力発生室内にインクを貯留して所定圧で加圧することにより、ノズル開口から用紙に向けてコントロールされた大きさのインク滴を吐出するようになっている。次に、本発明の特徴的な部分であるディスク搬送部（補助搬送部）２００について、更に図を参照して説明する。
【００３２】
図４は、上記ディスク搬送部２００を使用状態にしたときを図２に対応させて示す斜視図であり、同一構成個所は同一番号を付して説明を省略する。このディスク搬送部２００は、スタッカ１４２の内側上部であって、排紙ローラ５７の搬送下流側に配設されている。このディスク搬送部２００は、スタッカ１４２と同様に平板状に形成されて後端の回転軸を中心に図示矢印ｃ方向に回動自在に配設されている。すなわち、図２に示すように、先端側が斜め上方に持ち上がった不使用時の状態と、図４に示すように、全体が略水平に寝た使用時の状態との間で回動するようになっている。
【００３３】
このディスク搬送部２００を使用して光ディスクのレーベル面に記録を行う場合、光ディスクは円盤状であって折り曲げることができないので、図４に示すようなトレイ（平板状の被搬送媒体）２１０に光ディスクを収納し、このトレイ２１０をディスク搬送部２００を介して搬送することにより光ディスクのレーベル面に記録する。トレイ２１０は、矩形平板状に形成されており、略中央部には光ディスクが収納可能な円形凹状のディスク収納部２１１が形成されている。そして、このディスク収納部２１１の中心部には光ディスクの中心穴が嵌め込まれる円形凸状のディスク固定部２１２が形成されている。また、ディスク収納部２１１の外周部の対向２箇所には光ディスクを取り出すための半円形状のディスク取出し穴２１３が穿設されている。
【００３４】
図５は、上記ディスク搬送部２００の拡大斜視図、図６は、その断面側面図である。このディスク搬送部２００の上面には、トレイ２１０の幅と略同寸のトレイ案内溝部２０１がトレイ２１０の搬送方向に形成されている。そして、このトレイ案内溝部２０１の底面における先端側の両端部には、トレイ２１０を裏面から当接して支持する２つのリブ（第２の当接部）２０２が形成され、更に、これらのリブ２０２よりも後端側の中央寄りには、トレイ２１０を裏面から当接して支持する２つのリブ（第２の当接部）２０３が形成されている。これらのリブ２０３の高さは、リブ２０２の高さよりも例えば０．２ｍｍ程度低くなるように形成されている。
【００３５】
また、このトレイ案内溝部２０１における後端側の両端部には、トレイ２１０を表面から当接して押え付ける２つの押圧ローラ（第１の当接部）２０４が配設されている。これらの押圧ローラ２０４は、トレイ２１０が未挿入のときは下降しており、トレイ２１０が挿入されるときはトレイ２１０の表面を押さえながら上昇するように、例えば捻りコイルバネやコイルバネ等により下方に付勢されている。
【００３６】
図７は、上記ディスク搬送部２００にトレイ２１０が挿入された状態を示す拡大斜視図、図８は、その断面側面図、図９は、図８の拡大図である。光ディスクＤのレーベル面に記録を行う場合、ユーザは、図７及び図８に示すように、光ディスクＤが収納されたトレイ２１０をディスク搬送部２００の先端側から後端側へ挿入し、その先端側近傍に形成されている三角形状のマーク２０５にトレイ２１０に形成されている三角形状のマーク２１５を合わせる。これにより、トレイ２１０は、排紙ローラ（ローラ）５７を通って紙送りローラ５５とその従動ローラ５６のニップ点近傍まで差し込まれてセットされることになる。
【００３７】
尚、ディスク搬送部２００と第１ギザローラ５８ａ及び第２ギザローラ５８ｂの図示しない保持部材はリンク接続されており、ディスク搬送部２００の使用時の回動と連動して第１ギザローラ５８ａ及び第２ギザローラ５８ｂは上方へ退避し、ディスク搬送部２００の不使用時の回動と連動して第１ギザローラ５８ａ及び第２ギザローラ５８ｂは元の位置に復帰するようになっている。これにより、トレイ２１０の搬送時に第１ギザローラ５８ａ及び第２ギザローラ５８ｂが光ディスクＤのレーベル面を傷付けてしまうことを防止することができる。
【００３８】
ここで、トレイ２１０の挿入時の排紙ローラ５７による搬送力、すなわちトレイ２１０の搬送方向先端部が上記セット位置から紙送りローラ５５とその従動ローラ５６にニップされるまでの排紙ローラ５７による搬送力は、排紙ローラ５７の摩擦力のみによっている。図９に示すように、トレイ２１０の裏面と排紙ローラ５７との摩擦係数をμ、トレイ２１０が排紙ローラ５７から受ける支持力をＦ１、トレイ２１０が押圧ローラ２０４から受ける押圧力をＦとする。
【００３９】
更に、トレイ２１０と排紙ローラ５７の接触点Ｐ１と、トレイ２１０と押圧ローラ２０４の接触点Ｐ２との距離をＬ１（第１の距離）、トレイ２１０と押圧ローラ２０４の接触点Ｐ２と、トレイ２１０とリブ２０２、２０３の接触点Ｐ３、Ｐ４との距離をＬ２（第２の距離）とする。尚、本実施形態では、距離Ｌ２は、ディスク搬送部２００の後端側のリブ２０２の端部Ｐ３からディスク搬送部２００の先端側のリブ２０３の端部Ｐ４までの範囲でばらつくことになる。以上より、トレイ２１０の挿入時の排紙ローラ５７による搬送力μ×Ｆ１は、次式（１）で表される。
μ×Ｆ１＝μ×Ｆ×Ｌ２／（Ｌ１+Ｌ２）・・・（１）
この式（１）から、トレイ２１０の挿入時の排紙ローラ５７による搬送力μ×Ｆ１を大きくするには、ディスク搬送部２００の後端側のリブ２０２の端部Ｐ３からディスク搬送部２００の先端側のリブ２０３の端部Ｐ４までの範囲でばらつく距離Ｌ２が常に大きくなるように構成する必要がある。本実施形態では、トレイ２１０と押圧ローラ２０４の接触点Ｐ２と、トレイ２１０とリブ２０２、２０３の接触点Ｐ３、Ｐ４との距離Ｌ２は、トレイ２１０と排紙ローラ５７の接触点Ｐ１と、トレイ２１０と押圧ローラ２０４の接触点Ｐ２との距離Ｌ１よりも大きくなるように構成しているので、トレイ２１０の挿入時の排紙ローラ５７による搬送力μ×Ｆ１を大きくすることができる。
【００４０】
例えば、トレイ２１０と押圧ローラ２０４の接触点Ｐ２と、トレイ２１０とリブ２０２、２０３の接触点Ｐ３、Ｐ４との距離Ｌ２は、３３．８ｍｍ〜５５．４９ｍｍの範囲でばらつくが、この範囲であればトレイ２１０が排紙ローラ５７から受ける支持力Ｆ１は、１．４５Ｎ〜１．７Ｎとなり、トレイ２１０を安定して搬送することができる。
【００４１】
そして、トレイ２１０の挿入時の排紙ローラ５７による搬送力μ×Ｆ１は大きくなるので、以下のような効果を得ることができる。すなわち、押圧ローラ２０４の押圧力を減少させることができ、押圧ローラ２０４の部品強度を低減させた簡略な構造として部品コストを低減させることができる。更に、ユーザによるトレイ２１０の挿入時に大きな力を掛ける必要が無くなるので、トレイ２１０のセット操作性を向上させることができる。
【００４２】
また、ディスク搬送部２００自体が用紙搬送経路に対してある程度傾斜した場合でも、トレイ２１０は排紙ローラ５７とリブ２０２、２０３とにより支持されて搬送されるので、従来必要であった押圧ローラ２０４近傍に形成されていたトレイ２１０の上下動を規制するガイドや、ディスク搬送部とプリンタ本体との接触部に形成されていたディスク搬送部の水平度を調整するガイド等を不要とすることができる。従って、ディスク搬送部２００の部品精度をある程度ラフにすることができ、部品コストを低減させることができる。
【００４３】
また、トレイ２１０の搬送方向先端部が紙送りローラ５５とその従動ローラ５６にニップされ易くなるので、従来必要であったトレイの搬送方向先端部に貼り付けるフィルムを不要とすることができ、部品コストを低減させることができると共に、トレイのセット時にフィルムが排紙ローラに突き当たって変形することによるセット不良を無くすことができる。尚、トレイ２１０の搬送方向先端部を楔形状に一体形成することにより、更にはトレイ２１０の搬送方向先端部に突起を一体形成することにより、セット操作性をより向上させることができる。
【００４４】
また、ディスク搬送部２００の搬送方向の長さを短くしてトレイ２１０との接触面積を小さくすることができるので、トレイ２１０搬送ばらつきを抑えることができる。また、トレイ２１０が紙送りローラ５５とその従動ローラ５６のニップ点から外れた後も高精度に搬送することができるので、トレイ２１０の搬送方向先端側において搬送方向の長さを短くすることができる。このため、トレイ２１０の部品コストを低減させることができると共に、従来必要であったハウジングの背面に設けていたトレイ逃げ用の穴を不要とすることができる。
【００４５】
ユーザは、光ディスクＤが収納されたトレイ２１０を紙送りローラ５５とその従動ローラ５６のニップ点近傍まで差し込んでセットしたら、光ディスク記録開始ボタンを押す。これにより、排紙ローラ５７が逆回転してトレイ２１０の搬送方向先端部を紙送りローラ５５とその従動ローラ５６にニップさせ、更に紙送りローラ５５が逆回転してトレイ２１０を所定位置まで逆搬送する。そして、紙送りローラ５５が正回転してトレイ２１０を記録開始位置に位置決めした後、更に紙送りローラ５５が正回転してトレイ２１０を搬送する。
【００４６】
同時に、キャリッジモータとキャリッジベルト１５８によりキャリッジ１５３に搭載された記録ヘッド１５４が走査され、光ディスクＤのレーベル面が記録される。このとき、例えばイエロー、マゼンタ、ライトマゼンタ、シアン、ライトシアン、ブラックの計６色のインクカートリッジから記録ヘッド１５４へ各色インクが供給され、各色インクの吐出タイミング及びキャリッジ１５３や紙送りローラ５５の駆動が制御されて、高精度なインクドット制御、ハーフトーン処理等が実行される。その後、排紙ローラ５７が正回転してトレイ２１０をディスク搬送部２００の先端側から突出させる。ユーザは、トレイ２１０をディスク搬送部２００から抜き取り、記録が完了した光ディスクＤをトレイ２１０から取り出す。以上により、光ディスクＤのレーベル面への記録が完了する。
【００４７】
尚、上述した実施形態では、リブ２０２、２０３は、上面が平坦な形状としてトレイ２１０に面接触するように構成したが、これに限定されるものではなく、排紙ローラ５７によるトレイ２１０の搬送力が生じる負荷で押圧可能であって、搬送の妨げとならない摩擦係数で接触可能であれば、例えば三角柱状の形状としてトレイ２１０に線接触するように構成しても良く、また三角錐状やピン状の形状としてトレイ２１０に点接触するように構成しても良く、またローラとしてトレイ２１０に転がり接触するように構成しても良い。
【００４８】
更に、リブ２０２、２０３を設けずに、ディスク搬送部２００のトレイ案内溝部２０１の案内面を先端側から後端側に向かって下方へ傾斜するように構成しても良く、これによりトレイ２１０の搬送方向後端部は搬送時にトレイ案内溝部２０１の案内面に沿って緩やかに移動すると共に、常にトレイ案内溝部２０１の案内面に支持されることになるので、トレイ２１０の搬送精度を高精度に維持することができると共に、トレイ２１０の搬送方向後端側において搬送方向の長さを短くすることができ、トレイ２１０の部品コストを低減させることができる。
【００４９】
以上のように、本実施形態によれば、トレイ２１０の一面（表面）に当接する押圧ローラ２０４と、トレイ２１０の他面（裏面）に当接する排紙ローラ５７及びリブ２０２、２０３とを備え、排紙ローラ５７は押圧ローラ２０４に対し距離Ｌ１離れて配設され、リブ２０２、２０３は押圧ローラ２０４に対し排紙ローラ５７と反対方向に距離Ｌ１よりも大きい距離Ｌ２離れて配設されている。このため、押圧ローラ２０４のトレイ２１０に掛かる押圧力は、トレイ２１０を介して排紙ローラ５７及びリブ２０２、２０３に分圧されるが、排紙ローラ５７に掛かる押圧力の方がリブ２０２、２０３に掛かる押圧力よりも大きくなるため、トレイ２１０を搬送するために必要な排紙ローラ５７の搬送力を確実に得ることができる。
【産業上の利用可能性】
【００５０】
媒体搬送装置を備えた記録装置であれば、例えばファクシミリ装置、コピー装置、スキャナ等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００５１】
【図１】本発明の一実施の形態に係る記録装置の１つであるインクジェット式プリンタの外観構成の全体を示す斜視図である。
【図２】図１のプリンタの内部構造を示す斜視図である。
【図３】図２のプリンタの内部構造を示す概略側面図である。
【図４】図１のプリンタのディスク搬送部を使用状態にしたときを示す斜視図である。
【図５】図４のディスク搬送部の拡大斜視図である。
【図６】図５のディスク搬送部の断面側面図である。
【図７】図５のディスク搬送部にトレイが挿入された状態を示す拡大斜視図である。
【図８】図７のディスク搬送部の断面側面図である。
【図９】図８のディスク搬送部の拡大図である。
【符号の説明】
【００５２】
５５  紙送りローラ、５６  従動ローラ、５７  排紙ローラ、１００  インクジェット式プリンタ、１１０  操作部、１２０  メモリカードスロット部、１３０  給紙部、１４０  排紙部、１４１  排紙口、１５０  用紙搬送部、１５１  自動給紙機構、１５２  搬送機構、１５３  排紙機構、１６０  記録部、２００  ディスク搬送部、２０１  トレイ案内溝部、２０２、２０３  リブ、２０４  押圧ローラ、２１０  トレイ
【図１】
2007030304.tif 000003
【図２】
2007030304.tif 000004
【図３】
2007030304.tif 000005
【図４】
2007030304.tif 000006
【図５】
2007030304.tif 000007
【図６】
2007030304.tif 000008
【図７】
2007030304.tif 000009
【図８】
2007030304.tif 000010
【図９】
2007030304.tif 000011